(57)【要約】【課題】演出効果の高い照明演出制御を行うことができる照明システムを提供する。【解決手段】照明システム１００は、第一照明装置１０が設置される第一空間１０１に位置する第一ユーザＵ１を撮像対象とする動画像の配信中に第一照明装置１０に第一照明演出制御を行わせる制御部３１と、動画像を視聴する複数の第二ユーザが第一ユーザＵ１に報酬を付与するための報酬情報を取得するサーバ通信部３２とを備える。制御部３１は、過去の動画像の配信において使用された制御パターンと、過去の動画像の配信に関連する報酬情報によって特定される報酬額と、過去の動画像を配信した第一ユーザの個人情報等と、の関連性の分析の結果に基づいて第一照明演出制御に使用される制御パターンを決定する。【選択図】図２
2020009589.tif 000002
【特許請求の範囲】
【請求項１】
照明装置が設置される空間に位置する第一ユーザを撮像対象とする動画像の配信中に、前記照明装置に照明演出制御を行わせる制御部と、
前記動画像を視聴する複数の第二ユーザが前記第一ユーザに報酬を付与するための報酬情報を取得する取得部とを備え、
前記制御部は、
過去の動画像の配信において使用された制御パターンと、
前記過去の動画像の配信に関連する報酬情報によって特定される報酬額と、
前記過去の動画像を配信した第一ユーザの個人情報、前記過去の動画像において行われたパフォーマンスに関する情報、前記過去の動画像を視聴した第二ユーザの反応に関する情報、前記過去の動画像が配信された時期に関する情報、及び、前記過去の動画像が配信されたときの天候に関する情報の少なくとも１つの情報と、の関連性の分析の結果に基づいて前記照明演出制御に使用される制御パターンを決定する
照明システム。
【請求項２】
前記制御部は、前記分析の結果に基づいて、多くの報酬額が見込まれる制御パターンを前記照明演出制御に使用される制御パターンとして決定する
請求項１に記載の照明システム。
【請求項３】
前記分析においては、前記過去の動画像を配信した第一ユーザの個人情報が用いられ、
当該第一ユーザの個人情報は、性別、及び、年齢の少なくとも一方を示す
請求項１または２に記載の照明システム。
【請求項４】
前記分析においては、前記パフォーマンスに関する情報が用いられ、
前記パフォーマンスに関する情報は、前記パフォーマンスにおいて使用された楽曲の音律、前記楽曲の音階、前記楽曲の歌詞、及び、前記楽曲の速度の少なくとも１つを示す
請求項１〜３のいずれか１項に記載の照明システム。
【請求項５】
前記分析においては、前記過去の動画像を視聴した第二ユーザの反応に関する情報が用いられ、
当該第二ユーザの反応に関する情報は、声の大きさ、及び、音の大きさの少なくとも１つを示す
請求項１〜４のいずれか１項に記載の照明システム。
【請求項６】
前記分析においては、前記過去の動画像を視聴した複数の第二ユーザの反応に関する情報が用いられ、
当該複数の第二ユーザの反応に関する情報は、声の大きさ、及び、音の大きさの少なくとも１つを示す
請求項１〜４のいずれか１項に記載の照明システム。
【請求項７】
前記分析においては、前記時期に関する情報が用いられ、
前記時期に関する情報は、前記過去の照明演出制御が行われた日時、及び、前記過去の照明演出制御が行われた曜日の少なくとも１つを示す
請求項１〜６のいずれか１項に記載の照明システム。
【請求項８】
前記分析においては、前記天候に関する情報が用いられ、
前記天候に関する情報は、前記過去の照明演出制御が行われた日の天候、気温、及び、湿度の少なくとも１つを示す
請求項１〜７のいずれか１項に記載の照明システム。
【請求項９】
前記制御部は、前記分析の結果に基づく機械学習によって前記照明演出制御に使用される制御パターンを決定する
請求項１〜８のいずれか１項に記載の照明システム。
【請求項１０】
照明装置が設置される空間に位置する第一ユーザを撮像対象とする動画像の配信中に、前記照明装置に照明演出制御を行わせる制御ステップと、
前記動画像を視聴する複数の第二ユーザが前記第一ユーザに報酬を付与するための報酬情報を取得する取得ステップとを含み、
前記制御ステップにおいては、
過去の動画像の配信において使用された制御パターンと、
前記過去の動画像の配信に関連する報酬情報によって特定される報酬額と、
前記過去の動画像を配信した第一ユーザの個人情報、前記過去の動画像において行われたパフォーマンスに関する情報、前記過去の動画像を視聴した第二ユーザの反応に関する情報、前記過去の動画像が配信された時期に関する情報、及び、前記過去の動画像が配信されたときの天候に関する情報の少なくとも１つの情報と、の関連性の分析の結果に基づいて前記照明演出制御に使用される制御パターンを決定する
照明制御方法。
【請求項１１】
請求項１０に記載の照明制御方法をコンピュータに実行させるためのプログラム。
【発明の詳細な説明】
【技術分野】
【０００１】
本発明は、動画像の配信に関連する照明制御を行う照明システム等に関する。
【背景技術】
【０００２】
特許文献１には、ネットワークを介して接続されたユーザ端末から結婚式などに関する映像メッセージを受け付け、受け付けたメッセージを式典の最中に会場内のディスプレイに表示することで式典などを盛り上げる演出技術が開示されている。 
【先行技術文献】
【特許文献】
【０００３】
【特許文献１】特開２００５−２８５０４９号公報
【発明の概要】
【発明が解決しようとする課題】
【０００４】
ところで、音楽の演奏などのパフォーマンスが行われる空間の動画像の配信中に、当該空間に設置された照明装置を制御することによって高い演出効果を得ることは難しい。
【０００５】
本発明は、演出効果の高い照明演出制御を行うことができる照明システム等を提供する。
【課題を解決するための手段】
【０００６】
本発明の一態様に係る照明システムは、照明装置が設置される空間に位置する第一ユーザを撮像対象とする動画像の配信中に、前記照明装置に照明演出制御を行わせる制御部と、前記動画像を視聴する複数の第二ユーザが前記第一ユーザに報酬を付与するための報酬情報を取得する取得部とを備え、前記制御部は、過去の動画像の配信において使用された制御パターンと、前記過去の動画像の配信に関連する報酬情報によって特定される報酬額と、前記過去の動画像を配信した第一ユーザの個人情報、前記過去の動画像において行われたパフォーマンスに関する情報、前記過去の動画像を視聴した第二ユーザの反応に関する情報、前記過去の動画像が配信された時期に関する情報、及び、前記過去の動画像が配信されたときの天候に関する情報の少なくとも１つの情報と、の関連性の分析の結果に基づいて前記照明演出制御に使用される制御パターンを決定する。
【０００７】
本発明の一態様に係る照明制御方法は、照明装置が設置される空間に位置する第一ユーザを撮像対象とする動画像の配信中に、前記照明装置に照明演出制御を行わせる制御ステップと、前記動画像を視聴する複数の第二ユーザが前記第一ユーザに報酬を付与するための報酬情報を取得する取得ステップとを含み、前記制御ステップにおいては、過去の動画像の配信において使用された制御パターンと、前記過去の動画像の配信に関連する報酬情報によって特定される報酬額と、前記過去の動画像を配信した第一ユーザの個人情報、前記過去の動画像において行われたパフォーマンスに関する情報、前記過去の動画像を視聴した第二ユーザの反応に関する情報、前記過去の動画像が配信された時期に関する情報、及び、前記過去の動画像が配信されたときの天候に関する情報の少なくとも１つの情報と、の関連性の分析の結果に基づいて前記照明演出制御に使用される制御パターンを決定する。
【０００８】
本発明の一態様に係るプログラムは、前記照明制御方法をコンピュータに実行させるためのプログラムである。
【発明の効果】
【０００９】
本発明によれば、演出効果の高い照明演出制御を行うことができる照明システム等が実現される。
【図面の簡単な説明】
【００１０】
【図１】図１は、実施の形態１に係る照明システムの概要を示す図である。
【図２】図２は、実施の形態１に係る照明システムの機能構成を示すブロック図である。
【図３】図３は、実施の形態１に係る照明システムの動作例１のシーケンス図である。
【図４】図４は、配信ユーザ情報の一例である。
【図５】図５は、視聴ユーザ情報の一例である。
【図６】図６は、実施の形態１に係る照明システムの動作例２のシーケンス図である。
【図７】図７は、実施の形態１に係る照明システムの動作例３のシーケンス図である。
【図８】図８は、コメントが表示された表示画面の一例を示す図である。
【図９】図９は、実施の形態１の変形例に係る照明システムの機能構成を示すブロック図である。
【図１０】図１０は、制御パターンに関するデータの一例を示す図である。
【図１１】図１１は、制御パターンに関するデータの分析動作のフローチャートである。
【図１２】図１２は、制御パターンの決定動作のフローチャートである。
【発明を実施するための形態】
【００１１】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態１）
［概要］
まず、実施の形態１に係る照明システムの構成について説明する。図１は、実施の形態１に係る照明システムの概要を示す図である。
【００１４】
第一空間１０１に位置する第一ユーザＵ１は、ギターの弾き語りなどのパフォーマンスを行い、当該パフォーマンスの動画像の配信を行う配信者である。一方、第一空間１０１とは異なる第二空間１０２に位置する第二ユーザＵ２は、第二情報端末７０を介して動画像を視聴する視聴者である。
【００１５】
照明システム１００は、動画像の配信者である第一ユーザＵ１が位置する第一空間１０１に設置される第一照明装置１０を、動画像の視聴者である第二ユーザＵ２の第二情報端末７０への操作に基づいて制御することができるシステムである。ここで、第二情報端末７０への操作は、第一照明装置１０の動作を直接的に指定する（例えば、点灯ボタンを押す）ような操作ではなく、第一ユーザＵ１を賞賛するための操作（以下、賞賛操作とも記載される）である。
【００１６】
賞賛操作は、例えば、第二情報端末７０の表示部７５に表示されたアイコン７５ａに触れる操作（いわゆる「いいね」ボタンを押す操作）である。賞賛操作が行われると、第一ユーザＵ１の背景に第一照明装置１０からハート型の光スポットが投影される。
【００１７】
このように、第二ユーザＵ２の賞賛操作に応じて第一空間１０１に設置される第一照明装置１０が制御されれば、第二ユーザＵ２は、視聴中の動画像に映っている実空間の照明の演出に参加している感覚を得ることができる。したがって、第二ユーザＵ２は、実際には第二情報端末７０を介した間接的なパフォーマンスへの参加であるにもかかわらず、直接的なパフォーマンスへの参加であるかのような一体感を得ることができる。
【００１８】
以下、照明システム１００が備える各装置の機能構成について、図１に加えて図２を参照しながら説明する。図２は、照明システム１００の機能構成を示すブロック図である。照明システム１００は、第一照明装置１０と、第二照明装置２０と、サーバ装置３０とを備える。また、照明システム１００は、第一情報端末４０と、表示装置５０と、撮像装置６０と、第二情報端末７０とを備えてもよい。
【００１９】
なお、図２では、以降の説明の簡略化のために第一ユーザＵ１ひとり分の装置と、第二ユーザＵ２ひとり分の装置とが図示されるが、照明システム１００には、第一ユーザＵ１複数人分の装置と、第二ユーザの複数人分の装置とが含まれてもよい。
【００２０】
照明システム１００では、一人の第一ユーザＵ１によって提供される動画像を第二ユーザＵ２を含む複数の第二ユーザが視聴することが想定される。一人の第一ユーザＵ１によって提供される動画像を視聴している第二ユーザの数は、例えば、表示部７５に表示されたアバター７５ｂの数によって表される。
【００２１】
［第一照明装置］
第一照明装置１０は、動画像の配信者である第一ユーザＵ１の位置する第一空間１０１に設置される。第一空間１０１は、実空間であり、例えば、第一ユーザＵ１の部屋である。第一照明装置１０は、例えば、プロジェクタ等の演出用の照明装置である。第一照明装置１０は、スポットライトであってもよいし、シーリングライトであってもよいし、ダウンライトであってもよい。また、第一照明装置１０の具体的態様は特に限定されない。第一空間１０１には複数の第一照明装置１０が設置されてもよい。第一照明装置１０は、光源１１と、光源制御部１２と、記憶部１３と、通信部１４とを備える。
【００２２】
光源１１は、例えば、基板上にＬＥＤチップが配置されたＣＯＢ（Ｃｈｉｐ  Ｏｎ  Ｂｏａｒｄ）型の発光モジュールである。光源１１は、基板上にＳＭＤ（Ｓｕｒｆａｃｅ  Ｍｏｕｎｔ  Ｄｅｖｉｃｅ）型のＬＥＤ素子が配置されたＳＭＤ型の発光モジュールを用いて実現されてもよい。光源１１には、例えば、半導体レーザまたは有機ＥＬ（Ｅｌｅｃｔｒｏ  Ｌｕｍｉｎｅｓｃｅｎｃｅ）等、ＬＥＤ（ＬＥＤ素子）以外の固体発光素子が発光素子として用いられてもよい。また、光源１１は白色光を発する構成に限定されず、他の色の光を発してもよい。
【００２３】
光源制御部１２は、光源１１の発光制御を行う。光源制御部１２は、例えば、光源１１の駆動回路、及び、マイクロコンピュータなどによって実現される。
【００２４】
記憶部１３は、光源制御部１２が実行する制御プログラムなどが記憶される記憶装置である。記憶部１３は、具体的には、半導体メモリなどによって実現される。
【００２５】
通信部１４は、第一照明装置１０がサーバ装置３０とインターネット８０などの広域通信ネットワークを介した通信を行うための通信回路（言い換えれば、通信モジュール）である。通信部１４は、例えば、無線通信を行う無線通信回路であるが、有線通信を行う有線通信回路であってもよい。通信部１４が行う通信の通信規格については特に限定されない。
【００２６】
［第二照明装置］
第二照明装置２０は、第二ユーザＵ２の位置する第二空間１０２に設置される。第二空間１０２は、実空間であり、例えば、第二ユーザＵ２の部屋である。第二照明装置２０は、例えば、シーリングライトであるが、スポットライトであってもよいし、ダウンライトであってもよい。また、第二照明装置２０は、プロジェクタなどの演出用の照明装置であってもよい。第二照明装置２０の具体的態様は特に限定されない。第二空間１０２には複数の第二照明装置２０が設置されてもよい。第二照明装置２０は、光源２１と、光源制御部２２と、記憶部２３と、通信部２４とを備える。
【００２７】
光源２１は、例えば、基板上にＬＥＤチップが配置されたＣＯＢ型の発光モジュールである。光源２１は、基板上にＳＭＤ型のＬＥＤ素子が配置されたＳＭＤ型の発光モジュールを用いて実現されてもよい。光源２１には、例えば、半導体レーザまたは有機ＥＬ等、ＬＥＤ（ＬＥＤ素子）以外の固体発光素子が発光素子として用いられてもよい。また、光源２１は白色光を発する構成に限定されず、他の色の光を発してもよい。
【００２８】
光源制御部２２は、光源２１の発光制御を行う。光源制御部２２は、例えば、光源２１の駆動回路、及び、マイクロコンピュータなどによって実現される。
【００２９】
記憶部２３は、光源制御部２２が実行する制御プログラム等が記憶される記憶装置である。記憶部２３は、具体的には、半導体メモリなどによって実現される。
【００３０】
通信部２４は、第二照明装置２０がサーバ装置３０とインターネット８０などの広域通信ネットワークを介した通信を行うための通信回路（言い換えれば、通信モジュール）である。通信部２４は、例えば、無線通信を行う無線通信回路であるが、有線通信を行う有線通信回路であってもよい。通信部２４が行う通信の通信規格については特に限定されない。
【００３１】
［サーバ装置］
サーバ装置３０は、動画像の配信に関連する情報処理、及び、照明制御に関連する情報処理を行うクラウドサーバである。なお、照明システム１００は、サーバ装置３０に代えて、動画像の配信に関連する情報処理を行う第一サーバ装置、及び、照明制御に関連する情報処理を行う第二サーバ装置を備えてもよい。つまり、照明システム１００は、情報処理の内容ごとに複数のサーバ装置を備えてもよい。サーバ装置３０は、制御部３１と、サーバ通信部３２と、記憶部３３とを備える。
【００３２】
制御部３１は、動画像の配信に関連する情報処理、及び、照明制御に関連する情報処理を行う。制御部３１は、例えば、マイクロコンピュータによって実現されるが、プロセッサによって実現されてもよい。
【００３３】
サーバ通信部３２は、サーバ装置３０が第一照明装置１０、第二照明装置２０、第一情報端末４０、及び、第二情報端末７０とインターネット８０などの広域通信ネットワークを介した通信を行うための通信回路（言い換えれば、通信モジュール）である。サーバ通信部３２が行う通信の通信規格については特に限定されない。
【００３４】
記憶部３３は、制御部３１が実行する制御プログラムなどが記憶される記憶装置である。記憶部３３は、例えば、半導体メモリによって実現される。
【００３５】
［第一情報端末、表示装置、及び、撮像装置］
第一情報端末４０、表示装置５０、撮像装置６０は、第一ユーザＵ１が動画像を撮像するために使用する撮像システムを構成する。なお、このような撮像システムとして、スマートフォンまたはタブレット端末などの携帯型の情報端末が単体で用いられてもよい。
【００３６】
第一情報端末４０は、据え置き型の情報端末である。第一情報端末４０は、操作受付部４１と、端末制御部４２と、端末通信部４３と、記憶部４４とを備える。
【００３７】
操作受付部４１は、第一ユーザＵ１の操作を受け付ける。操作受付部４１は、マウス及びキーボードなどの入力デバイスによって実現される。
【００３８】
端末制御部４２は、操作受付部４１によって受け付けられた操作などに基づいて、第一情報端末４０に関する各種情報処理を行う。端末制御部４２は、例えば、マイクロコンピュータによって実現されるが、プロセッサによって実現されてもよい。
【００３９】
端末通信部４３は、第一情報端末４０がサーバ装置３０とインターネット８０などの広域通信ネットワークを介した通信を行うための通信回路（言い換えれば、通信モジュール）である。端末通信部４３は、例えば、無線通信を行う無線通信回路であるが、有線通信を行う有線通信回路であってもよい。端末通信部４３が行う通信の通信規格については特に限定されない。
【００４０】
記憶部４４は、端末制御部４２によって実行される制御プログラムなどが記憶される記憶装置である。記憶部４４は、例えば、半導体メモリによって実現される。
【００４１】
表示装置５０は、端末制御部７２の制御に基づいて画像を表示する。表示装置５０は、具体的には、液晶パネルまたは有機ＥＬパネルなどを表示デバイスとして含むディスプレイである。
【００４２】
撮像装置６０は、第一空間１０１に位置する第一ユーザＵ１を対象として（つまり、被写体として）動画像を撮像するカメラである。撮像装置６０は、例えば、ＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）イメージセンサでなどのイメージセンサによって実現される。
【００４３】
［第二情報端末］
第二情報端末７０は、第二ユーザＵ２が動画像を視聴するために使用する、スマートフォンまたはタブレット端末などの携帯型の情報端末である。第二情報端末７０は、第一情報端末４０のような据え置き型の情報端末であってもよい。第二情報端末７０は、操作受付部７１と、端末制御部７２と、端末通信部７３と、記憶部７４と、表示部７５と、出音部７６とを備える。
【００４４】
操作受付部７１は、第二ユーザＵ２の操作を受け付ける。操作受付部７１は、例えば、タッチパネル、及び、ハードウェアボタンなどによって実現される。
【００４５】
端末制御部７２は、操作受付部７１によって受け付けられた操作などに基づいて、第二情報端末７０に関する各種情報処理を行う。端末制御部７２は、例えば、マイクロコンピュータによって実現されるが、プロセッサによって実現されてもよい。
【００４６】
端末通信部７３は、第二情報端末７０がサーバ装置３０と通信を行うための通信回路（言い換えれば、通信モジュール）である。端末通信部７３は、例えば、無線通信を行う無線通信回路であるが、有線通信を行う有線通信回路であってもよい。端末通信部７３が行う通信の通信規格については特に限定されない。
【００４７】
記憶部７４は、端末制御部７２によって実行される制御プログラムなどが記憶される記憶装置である。記憶部７４は、例えば、半導体メモリによって実現される。
【００４８】
表示部７５は、端末制御部７２の制御に基づいて画像を表示する。表示部７５は、具体的には、液晶パネルまたは有機ＥＬパネルなどを表示デバイスとして含むディスプレイである。
【００４９】
出音部７６は、端末制御部７２の制御に基づいて音声を出力する。出音部７６は、具体的には、スピーカである。
【００５０】
［動作例１］
次に、照明システム１００の動作例１について説明する。図３は、照明システム１００の動作例１のシーケンス図である。
【００５１】
まず、第二情報端末７０の操作受付部７１は、動画像を視聴するための専用アプリケーションが端末制御部７２によって実行されているときに、ログイン操作、及び、配信元選択操作を第二ユーザＵ２から受け付ける（Ｓ１１）。ログイン操作には、第二ユーザＵ２のユーザＩＤ及びパスワードの入力操作が含まれる。配信元選択操作は、言い換えれば、視聴チャンネルの選択操作である。
【００５２】
端末制御部７２は、ログイン操作によって得られるログイン情報、及び、配信元選択操作によって得られる配信元選択情報を端末通信部７３に送信させる（Ｓ１２）。送信されたログイン情報及び配信元選択情報は、サーバ装置３０のサーバ通信部３２によって取得される（Ｓ１３）。
【００５３】
サーバ装置３０の記憶部３３には、あらかじめ行われるユーザ登録により、第一ユーザＵ１のユーザＩＤ及び第一照明装置１０の機器ＩＤが対応付けられた配信ユーザ情報が記憶されている。図４は、配信ユーザ情報の一例である。なお、第一照明装置１０、または、第一照明装置１０の取扱説明書もしくは梱包箱などに機器ＩＤ登録用のＱＲコード（登録商標）が掲載されていれば、ユーザ登録時にＱＲコード（登録商標）の読み取りを行うことで第一照明装置１０を容易に登録することができる。
【００５４】
また、サーバ装置３０の記憶部３３には、あらかじめ行われるユーザ登録により、第二ユーザＵ２のユーザＩＤ及び第二照明装置２０の機器ＩＤが対応付けられた視聴ユーザ情報が記憶されている。図５は、視聴ユーザ情報の一例である。なお、第二照明装置２０、または、第二照明装置の取扱説明者もしくは梱包箱などに機器ＩＤ登録用のＱＲコード（登録商標）が掲載されていれば、ユーザ登録時にＱＲコード（登録商標）の読み取りを行うことで第二照明装置２０を容易に登録することができる。
【００５５】
図４に示されるように、配信ユーザ情報には、グループＩＤが含まれる。第二ユーザＵ２の配信元選択操作を行うと、第二ユーザＵ２が視聴を希望する動画像の配信者（第一ユーザＵ１）のグループＩＤが配信元選択情報として送信される。サーバ通信部３２によって配信元選択情報が受信されると、図５に示されるように、視聴ユーザ情報に、配信元選択情報として送信されたグループＩＤが追加される。つまり、グループＩＤによって、第一ユーザＵ１（動画像の配信者）と第二ユーザＵ２（視聴者）とが紐づけられる（Ｓ１４）。
【００５６】
その後、第一情報端末４０の端末制御部４２は、撮像装置６０を用いて動画像の撮像を開始し（Ｓ１５）、撮像した動画像（より詳細には、動画像の映像信号）を端末通信部４３にサーバ装置３０へ送信させる（Ｓ１６）。動画像は、第一照明装置１０が設置される第一空間１０１に位置する第一ユーザＵ１を撮像対象とするものである。
【００５７】
サーバ装置３０のサーバ通信部３２は、第一情報端末４０から受信した動画像を中継する（Ｓ１７）。具体的には、上述したグループＩＤに基づいて、第一ユーザＵ１の動画像の視聴を希望している第二ユーザＵ２のユーザＩＤを特定し、特定したユーザＩＤに対応する第二情報端末７０に動画像をリアルタイムで配信する。
【００５８】
第二情報端末７０の端末通信部７３は動画像を受信し、表示部７５は、端末制御部７２の制御に基づいて受信された動画像を表示する（Ｓ１８）。
【００５９】
このとき、操作受付部７１によって、第二ユーザＵ２が第一ユーザＵ１を賞賛するための賞賛操作が受け付けられると（Ｓ１９）、端末制御部７２は、賞賛操作が行われたことを示す賞賛情報を端末通信部７３に送信させる（Ｓ２０）。
【００６０】
サーバ装置３０のサーバ通信部３２は、賞賛情報を取得する（Ｓ２１）。つまり、サーバ通信部３２は、第二ユーザＵ２の第二情報端末７０への操作に応じて賞賛情報を取得する。サーバ通信部３２は、取得部の一例である。
【００６１】
制御部３１は、取得された賞賛情報に基づいて制御対象の照明装置（この場合、第一照明装置１０）を特定する（Ｓ２２）。制御部３１は、例えば、記憶部３３に記憶された配信ユーザ情報を参照することにより、第一ユーザＵ１のユーザＩＤに対応付けられた第一照明装置１０の機器ＩＤを特定する。そして、制御部３１は、特定した第一照明装置１０に第一照明演出制御を行わせるための制御指令を送信する（Ｓ２３）。
【００６２】
第一照明装置１０の通信部１４によって制御指令が受信されると（Ｓ２４）、光源制御部１２は、受信された制御指令に基づいて光源１１を発光させることにより第一照明演出制御を行う（Ｓ２５）。このように、制御部３１は、制御指令を送信することにより第一照明装置１０に第一照明演出制御を行わせる。
【００６３】
第一照明演出制御においては、例えば、第二ユーザＵ２が１回称賛操作を行うごとにハート型の光スポットの投影が１回行われる。しかしながら、第一照明演出制御の具体的な内容は特に限定されない。第一照明演出制御においては、光源１１の調光、調色、及びＲＧＢ制御などが適宜組み合わされる。
【００６４】
また、上述のように、照明システム１００では、一人の第一ユーザＵ１によって提供される動画像を複数の第二ユーザが視聴することが想定される。そこで、サーバ通信部３２は、複数の第二ユーザそれぞれから賞賛情報を取得し、制御部３１は、取得された複数の賞賛情報の総数（延べ数）に応じて第一照明装置１０の発光態様を変更してもよい。また、制御部３１は、少なくとも１回称賛操作を行った第二ユーザの総数に応じて第一照明装置１０の発光態様を変更してもよい。なお、第一照明演出制御を行うための制御パターン（どのように第一照明装置１０の発光態様を変更するかを示す情報。言い換えれば、制御ルール。）については、例えば、記憶部３３にあらかじめ記憶される。
【００６５】
以上説明したように、動作例１では、サーバ通信部３２は、第二ユーザＵ２の第一ユーザＵ１に対する評価を示す評価情報（具体的には、賞賛情報）を取得し、制御部３１は、取得された評価情報に基づいて、第一照明装置１０に第一照明演出制御を行わせる。
【００６６】
このような照明システムにおいては、第二ユーザＵ２の評価に応じて第一空間１０１の照明の演出が制御され、第二ユーザＵ２は、視聴中の動画像を通じて照明の演出が制御されたことを認識できる。つまり、照明システム１００は、第二ユーザＵ２に、視聴中の動画像に映っている実空間の照明の演出に参加している感覚を与えることができる。言い換えれば、第二ユーザＵ２は、第一ユーザＵ１と同一のコミュニティに属していると感じることができる。
【００６７】
また、照明システム１００においては、第一ユーザＵ１から一方的に動画像が配信されるのではなく、第二ユーザＵ２が賞賛操作によって第一照明装置１０を制御できる、つまり、照明システム１００によれば、インタラクティブなコミュニケーションが実現される。
【００６８】
なお、評価情報は、例えば、賞賛情報のように第一ユーザＵ１を高く評価する情報である。第一ユーザＵ１を高く評価する情報は、言い換えれば、第一ユーザＵ１を支持する操作に基づく第一ユーザＵ１を支持するための支持情報であり、第一ユーザＵ１を応援するための応援操作に基づく応援情報などであってもよい。評価情報は、第一ユーザＵ１を高く評価する情報に限定されず、第一ユーザＵ１を低く評価する情報であってもよい。
【００６９】
［動作例２］
動作例１では、第二ユーザＵ２の第二情報端末７０への操作に応じて第一ユーザＵ１が位置する第一空間１０１に設置された第一照明装置１０が制御された。しかしながら、第一ユーザＵ１の第一情報端末４０への操作に応じて第二ユーザＵ２が位置する第二空間１０２に設置された第二照明装置２０が制御されてもよい。図６は、このような照明システム１００の動作例２のシーケンス図である。なお、図６では、図４のステップＳ１１〜Ｓ１７に相当する処理については図示が省略される。
【００７０】
第二情報端末７０の表示部７５は、端末制御部７２の制御に基づいてサーバ装置３０から配信される動画像を表示する（Ｓ３１）。
【００７１】
操作受付部７１は、第二ユーザＵ２が第一ユーザＵ１に報酬を付与するための報酬付与操作を受け付ける（Ｓ３２）。照明システム１００において、第二ユーザＵ２は、動画像を視聴するための専用アプリケーション上でアイテムを購入することができる。報酬付与操作は、当該アイテムを第一ユーザＵ１に与えることで第一ユーザに報酬を支払うことを意図する操作である。
【００７２】
報酬付与操作が行われると、端末制御部７２は、報酬付与操作が行われたことを示す報酬情報を端末通信部７３に送信させる（Ｓ３３）。サーバ装置３０のサーバ通信部３２によって報酬情報が取得されると（Ｓ３４）、記憶部３３に記憶された、第一ユーザＵ１に支払われる報酬額を管理するための報酬額管理情報が更新される（Ｓ３５）。その後、報酬額管理情報に基づいて、第二ユーザＵ２がアイテムを購入するために支払った金銭の少なくとも一部が第一ユーザＵ１に支払われる。
【００７３】
また、制御部３１は、サーバ通信部３２に報酬が付与されたことを通知する通知情報を送信させる（Ｓ３６）。送信された通知情報は、第一情報端末４０の端末通信部４３によって受信される（Ｓ３７）。端末制御部４２は、端末通信部４３によって受信された通知情報に基づいて、報酬が付与されたことを示す画像を表示装置５０に表示させる（Ｓ３８）。表示された画像においては、付与された報酬が第二ユーザＵ２からのものであることが示される。
【００７４】
このような画像を視認した第一ユーザＵ１が第二ユーザＵ２にお礼をするために第二ユーザＵ２を指定するユーザ指定操作を行う。操作受付部４１は、このようなユーザ指定操作を受け付けると（Ｓ３９）。端末制御部４２は、ユーザ指定操作が行われたことを示す指定情報を端末通信部４３に送信させる（Ｓ４０）。
【００７５】
サーバ装置３０のサーバ通信部３２は、指定情報を取得する（Ｓ４１）。つまり、サーバ通信部３２は、第一ユーザＵ１の第一情報端末４０への操作に応じて指定情報を取得する。制御部３１は、取得された指定情報に基づいて制御対象の照明装置（この場合、第二照明装置２０）を特定する（Ｓ４２）。制御部３１は、例えば、記憶部３３に記憶された視聴ユーザ情報を参照することにより、第二ユーザＵ２のユーザＩＤに対応付けられた第二照明装置２０の機器ＩＤを特定する。そして、制御部３１は、特定した第二照明装置２０に第二照明演出制御を行わせるための制御指令を送信する（Ｓ４３）。
【００７６】
第二照明装置２０の通信部２４によって制御指令が受信されると（Ｓ４４）、光源制御部２２は、受信された制御指令に基づいて光源２１を発光させることにより第二照明演出制御を行う（Ｓ４５）。このように、制御部３１は、制御指令を送信することにより第二照明装置２０に第二照明演出制御を行わせる。第二照明演出制御の具体的な内容は特に限定されない。第二照明演出制御を行うための制御ルール（どのように第二照明装置２０の発光態様を変更するか）については、例えば、記憶部３３にあらかじめ記憶される。
【００７７】
以上説明したように、動作例２では、サーバ通信部３２は、複数の第二ユーザのうち特定の第二ユーザＵ２を指定する指定情報を取得する。サーバ通信部３２は、具体的には、特定の第二ユーザＵ２が第一ユーザＵ１に報酬を付与するための報酬情報を取得した後に、第一ユーザＵ１の第一情報端末４０への操作に応じて指定情報を取得する。制御部３１は、取得された指定情報に基づいて、特定の第二ユーザＵ２が位置する第二空間１０２に設置された第二照明装置２０に第二照明演出制御を行わせる。第二照明演出制御の具体的な内容は特に限定されない。第二照明演出制御においては、光源２１の調光、調色、及びＲＧＢ制御などが適宜組み合わされる。
【００７８】
このような照明システム１００においては、第一ユーザＵ１の操作に応じて第二空間１０２の照明の演出が制御される。これにより、第一ユーザＵ１及び第二ユーザＵ２は、照明制御を通じてコミュニケーションをとることができる。つまり、配信者及び視聴者間におけるコミュニケーションの活性化が図られる。また、第二ユーザＵ２は、第一ユーザＵ１から選択的にお礼（第二照明演出制御）をもらえた（つまり、特別扱いされた）という高揚感を得ることができる。
【００７９】
なお、ユーザ指定操作が報酬付与操作に対する応答として行われることは必須ではない。例えば、ユーザ指定操作は、報酬付与操作と無関係に第一ユーザＵ１によって自発的に行われてもよい。
【００８０】
［動作例３］
特定の第二ユーザＵ２が位置する第二空間１０２に設置された第二照明装置２０の第二照明演出制御は、動画を視聴している複数の第二ユーザのうち特定の第二ユーザＵ２以外の他の第二ユーザが所持する他の第二情報端末への操作に応じて行われてもよい。図７は、このような照明システム１００の動作例３のシーケンス図である。
【００８１】
なお、図７では、図４のステップＳ１１〜Ｓ１７に相当する処理については図示が省略される。また、他の第二情報端末７０ａの機能構成については第二情報端末７０と同様である。
【００８２】
第二情報端末７０の表示部７５は、端末制御部７２の制御に基づいてサーバ装置３０から配信される動画像を表示する（Ｓ５１）。同様に、他の第二情報端末７０ａの表示部７５は、端末制御部７２の制御に基づいてサーバ装置３０から配信される動画像を表示する（Ｓ５２）。
【００８３】
他の第二情報端末７０ａの操作受付部７１は、他の第二ユーザのコメント入力操作を受け付ける（Ｓ５３）。コメント入力操作が行われると、他の第二情報端末７０ａの端末制御部７２は、入力されたコメントに相当するテキスト情報を含むコメント情報を端末通信部７３に送信させる（Ｓ５４）。
【００８４】
サーバ装置３０のサーバ通信部３２によってコメント情報が取得されると（Ｓ５５）、制御部３１は、サーバ通信部３２に、第一ユーザＵ１から提供される動画像を表示中の全ての第二情報端末へコメント表示情報を送信させる（Ｓ５６）。この結果、第二情報端末７０はコメント表示情報を受信して表示部７５にコメントを表示し（Ｓ５７）、他の第二情報端末７０ａはコメント表示情報を受信して表示部７５にコメントを表示する（Ｓ５８）。図８は、コメントが表示された表示画面の一例を示す図である。なお、コメント中の「ｆｆｆ」及び「ｈｈｈ」は、図５で説明したユーザＩＤを意味する。つまり、図８の例では、コメント７５ｃを入力した他の第二ユーザのユーザＩＤ（具体的には、「ｈｈｈ」）と、第二ユーザＵ２のユーザＩＤ（具体的には、「ｆｆｆ」）との両方がコメントに含まれる。
【００８５】
一方、制御部３１は、コメント情報に含まれるテキスト情報（つまり、図８に示されるコメント７５ｃのかっこ内の文字列）に特定のテキストが含まれているかを検索する（Ｓ５９）。特定のテキストは、第一ユーザＵ１から提供される動画像を視聴している第二ユーザのユーザＩＤ（つまり、第一ユーザＵ１に付与されているグループＩＤと同じグループＩＤが付与されている第二ユーザのユーザＩＤ）のそれぞれを所定のテキストとして検索を行う。なお、動作例３では、一例としてユーザＩＤを検索の対象としているが、視聴ユーザ情報にハンドルネームが含まれる場合には、ハンドルネームが検索の対象とされてもよい。
【００８６】
検索の結果第二ユーザＵ２のユーザＩＤが見つかると、制御部３１は、見つかったユーザＩＤに基づいて制御対象の照明装置を特定する（Ｓ６０）。制御部３１は、具体的には、視聴ユーザ情報を参照することにより、見つかったユーザＩＤに対応付けられた第二照明装置２０の機器ＩＤを特定する。そして、制御部３１は、特定した第二照明装置２０に第二照明演出制御を行わせるための制御指令を送信する（Ｓ６１）。
【００８７】
第二照明装置２０の通信部２４によって制御指令が受信されると（Ｓ６２）、光源制御部２２は、受信された制御指令に基づいて光源２１を発光させることにより第二照明演出制御を行う（Ｓ６３）。第二照明演出制御の具体的な内容は特に限定されない。
【００８８】
以上説明したように、動作例３では、サーバ通信部３２は、コメント情報を取得する。コメント情報は、第二ユーザＵ２の識別情報（ユーザＩＤまたはハンドルネームなど）をテキスト情報として含み、他の第二ユーザの他の第二情報端末７０ａへのコメント入力操作に応じて取得される。コメント情報は、複数の第二ユーザのうち特定の第二ユーザＵ２を指定する指定情報の別の一例である。
【００８９】
このような照明システム１００においては、他の第二ユーザの操作に応じて第二空間１０２の照明の演出が制御される。これにより、第二ユーザＵ２及び他の第二ユーザは、照明制御を通じてコミュニケーションをとることができる。つまり、視聴者間におけるコミュニケーションの活性化が図られる。
【００９０】
なお、第二照明装置２０の第二照明演出制御が他の第二ユーザのコメント入力操作に基づいて行われることは必須ではない。第二照明装置２０の第二照明演出制御は、他の第二ユーザのコメント入力操作以外の操作に基づいて行われてもよい。
【００９１】
［変形例］
以下、変形例に係る照明システムについて説明する。図９は、変形例に係る照明システムの機能構成を示すブロック図である。
【００９２】
照明システム１００において、第一照明装置１０ａは、サーバ装置３０と通信を行うための通信部１４を備えていた。これに対し、図９に示される照明システム１００ａにおいては、第一照明装置１０ａは通信部を備えていない。第一照明装置１０ａには、サーバ装置３０と通信を行うための別体の通信インターフェース装置９０が適用されている。同様に、照明システム１００ａにおいて第二照明装置２０ａは通信部２４を備えておらず、第二照明装置２０には、サーバ装置３０と通信を行うための別体の通信インターフェース装置９０が適用されている。
【００９３】
通信インターフェース装置９０は、第一照明装置１０または第二照明装置２０に通信機能を付与するための装置である。例えば、第一照明装置１０に適用される通信インターフェース装置９０は、第二ユーザＵ２の第一ユーザに対する評価を示す評価情報に基づいてサーバ装置３０から送信される制御指令を取得する通信部９１を備える。通信部９１は、例えば、無線通信を行う無線通信回路であるが、有線通信を行う有線通信回路であってもよい。通信部９１が行う通信の通信規格については特に限定されない。
【００９４】
このような通信インターフェース装置９０によれば、サーバ装置３０との通信機能を有していない第一照明装置１０ａを照明システム１００ａにおける制御対象とすることができる。
【００９５】
［効果等］
以上説明したように、照明システム１００は、第一照明装置１０が設置される第一空間１０１に位置する第一ユーザＵ１を撮像対象として配信される動画像を視聴する第二ユーザＵ２の第一ユーザＵ１に対する評価を示す評価情報を取得するサーバ通信部３２と、取得された評価情報に基づいて、第一照明装置１０に第一照明演出制御を行わせる制御部３１とを備える。サーバ通信部３２は、取得部の一例である。
【００９６】
このような照明システム１００は、第二ユーザＵ２の第一ユーザＵ１に対する評価に応じて第一照明装置１０を制御することができる。また、照明システム１００は、動画像を視聴する第二ユーザＵ２に、視聴中の動画像に映っている実空間の照明の演出に参加している感覚を与えることができる。
【００９７】
また、例えば、評価情報の取得、及び、第一照明演出制御は、動画像の配信中に行われる。
【００９８】
このような照明システム１００は、動画像を視聴する第二ユーザＵ２に、視聴中の動画像に映っている実空間の照明の演出に参加している感覚を与えることができる。
【００９９】
また、例えば、サーバ通信部３２は、複数の第二ユーザそれぞれの評価情報を取得し、制御部３１は、取得された複数の評価情報に基づいて、第一照明装置１０に第一照明演出制御を行わせる。
【０１００】
このような照明システム１００は、複数の評価情報に基づいて第一照明演出制御の内容の変更などを行うことができる。
【０１０１】
また、例えば、サーバ通信部３２は、複数の第二ユーザのうち特定の第二ユーザＵ２を指定する指定情報をさらに取得する。制御部３１は、取得された指定情報に基づいて、特定の第二ユーザＵ２が位置する第二空間１０２に設置された第二照明装置２０に第二照明演出制御を行わせる。
【０１０２】
このような照明システム１００は、第一照明装置１０だけでなく第二照明装置２０も制御することができる。
【０１０３】
また、例えば、指定情報は、第一ユーザＵ１の第一情報端末４０への操作に応じて取得される。
【０１０４】
このような照明システム１００は、第一ユーザＵ１の第一情報端末４０への操作に応じて第二照明装置２０に第二照明演出制御を行わせることができる。
【０１０５】
また、例えば、サーバ通信部３２は、特定の第二ユーザＵ２が第一ユーザＵ１に報酬を付与するための報酬情報を取得した後に指定情報を取得する。
【０１０６】
このような照明システム１００は、第二ユーザＵ２から第一ユーザＵ１への報酬のお返しとして第二照明装置２０に第二照明演出制御を行わせることができる。
【０１０７】
また、例えば、指定情報は、複数の第二ユーザのうちの特定の第二ユーザＵ２以外の他の第二ユーザの他の第二情報端末７０ａへの操作に応じて取得される。このような指定情報は、例えば、上記実施の形態１のコメント情報に相当する。
【０１０８】
このような照明システム１００は、他の第二ユーザの他の第二情報端末７０ａへの操作に応じて第二照明装置２０に第二照明演出制御を行わせることができる。
【０１０９】
また、例えば、指定情報は、他の第二ユーザの他の第二情報端末７０ａへのコメント入力操作に応じて取得され、特定の第二ユーザＵ２の識別情報をテキスト情報として含む。このような指定情報は、例えば、上記実施の形態１のコメント情報に相当する。
【０１１０】
このような照明システム１００は、他の第二ユーザの他の第二情報端末７０ａへのコメント入力操作に応じて第二照明装置２０に第二照明演出制御を行わせることができる。
【０１１１】
また、例えば、照明システム１００は、サーバ通信部３２、及び、制御部３１を備えるサーバ装置３０と、第一照明装置１０とを備える。
【０１１２】
このように照明システム１００は、例えば、サーバ装置３０及び第一照明装置１０によって構成される。
【０１１３】
また、通信インターフェース装置９０は、第一照明装置１０ａに通信機能を付与するための通信インターフェース装置である。通信インターフェース装置９０は、第一照明装置１０が設置される第一空間１０１に位置する第一ユーザＵ１を撮像対象として配信される動画像を視聴する第二ユーザＵ２の第一ユーザＵ１に対する評価を示す評価情報に基づいてサーバ装置３０から送信される制御指令を受信する通信部９１を備える。
【０１１４】
このような通信インターフェース装置９０は、サーバ装置３０との通信機能を有していない第一照明装置１０ａを照明システム１００ａにおける制御対象とすることができる。
【０１１５】
また、第一照明装置１０は、第一空間１０１に設置される照明装置である。第一照明装置１０は、光源１１と、第一空間１０１に位置する第一ユーザを撮像対象として配信される動画像を視聴する第二ユーザＵ２の第一ユーザＵ１に対する評価を示す評価情報に基づいてサーバ装置３０から送信される、第一照明装置１０に第一照明演出制御を行わせるための制御指令を受信する通信部１４と、受信された制御指令に基づいて光源１１を発光させることにより第一照明演出制御を行う光源制御部１２とを備える。
【０１１６】
このような第一照明装置１０は、第二ユーザＵ２の第一ユーザＵ１に対する評価に応じて発光することができる。また、第一照明装置１０は、動画像を視聴する第二ユーザＵ２に、視聴中の動画像に映っている実空間の照明の演出に参加している感覚を与えることができる。
【０１１７】
また、サーバ装置３０などのコンピュータによって実行される照明制御方法は、第一照明装置１０が設置される第一空間１０１に位置する第一ユーザＵ１を撮像対象として配信される動画像を視聴する第二ユーザＵ２の第一ユーザＵ１に対する評価を示す評価情報を取得し、取得された評価情報に基づいて、第一照明装置１０に照明演出制御を行わせる。
【０１１８】
このような照明制御方法は、第二ユーザＵ２の第一ユーザＵ１に対する評価に応じて第一照明装置１０を制御することができる。また、照明制御方法は、動画像を視聴する第二ユーザＵ２に、視聴中の動画像に映っている実空間の照明の演出に参加している感覚を与えることができる。
【０１１９】
（実施の形態２）
上述のように、第一照明演出制御は記憶部３３に記憶された制御パターンに基づいて行われる。ここで、制御パターンが複数ある場合、どの制御パターンを使用するかの選択基準については検討の余地がある。
【０１２０】
そこで、制御部３１は、過去の第一照明演出制御において使用された制御パターンに関するデータを蓄積し、どのような制御パターンが高い演出効果を得られるかの分析を行って制御パターンを決定してもよい。
【０１２１】
実施の形態２では、このようにデータ分析を行って制御パターンを決定する例について説明する。図１０は、記憶部３３に蓄積される制御パターンに関するデータの一例を示す図である。なお、実施の形態２では、第一照明演出制御は動画像の配信と連動して行われる広義の照明演出制御を意味し、評価情報に基づいて行われる照明演出制御に限定されない。
【０１２２】
図１０に示されるように、記憶部３３に蓄積される制御パターンに関するデータは、過去の動画像の配信に際して使用された制御パターンと、当該過去の第一照明演出制御に関連する報酬情報によって特定される報酬額と、各種情報とが対応付けられたものである。
【０１２３】
報酬額は、演出効果の高低の指標として使用される。演出効果の高低は、言い換えれば、複数の第二ユーザによって制御パターンが好まれたか否かである。演出効果の高低の指標としては、報酬額に代えて、第一ユーザのパフォーマンスに対する複数の第二ユーザの反応に関する情報（後述）、または、賞賛情報の延べ数などが用いられてもよい。
【０１２４】
各種情報には、過去の動画像を配信した第一ユーザの個人情報、過去の動画像において第一ユーザが行ったパフォーマンスに関する情報、過去の動画像を視聴する複数の第二ユーザの反応に関する情報、過去の動画像が配信された時期に関する情報、及び、過去の動画像が配信されたときの天候に関する情報などが含まれる。
【０１２５】
第一ユーザの個人情報は、第一ユーザの性別、及び、第一ユーザの年齢の少なくとも一方を示す。図１０の例では、第一ユーザの個人情報は、第一ユーザの性別、及び、第一ユーザの年齢の少なくとも一方（図１０の例では両方）を示す。これらの情報は、例えば、ユーザ登録に際して配信ユーザ情報の一部として登録され、動画像の配信に際してユーザＩＤを用いて参照される。
【０１２６】
第一ユーザが行ったパフォーマンス関する情報は、パフォーマンスにおいて使用された楽曲の音律、当該楽曲の音階、当該楽曲の歌詞、及び、当該楽曲の速度の少なくとも１つ（図１０の例では全て）を示す。このような情報は、例えば、動画像の配信に際して第一ユーザによって当該第一ユーザの第一情報端末４０を介して入力される。なお、音階は、当該楽曲のジャンル（ポップス、ロックなど）と読み替えられてもよい。楽曲の歌詞は、より詳細には、楽曲に含まれる単語である。
【０１２７】
パフォーマンスに対する複数の第二ユーザの反応に関する情報は、複数の第二ユーザの声（例えば、歓声）の大きさ、及び、複数の第二ユーザによって発せられる音（例えば、拍手の音）の大きさの少なくとも１つを示す。このような情報は、例えば、第二ユーザの第二情報端末７０が備える集音部（図示せず）によって取得される音声に基づいて生成され、端末通信部７３によってサーバ装置３０に送信される。このような情報は、第二情報端末７０とは別体の集音装置によって取得される音声に基づいて生成されてもよい。なお、制御パターンに関するデータには、少なくとも一人の第二ユーザの反応に関する情報が含まれればよい。
【０１２８】
動画像が配信された時期に関する情報は、過去の動画像の配信が行われた日時（言い換えれば、季節）、及び、過去の動画像の配信が行われた曜日の少なくとも１つ（図１０の例では両方）を示す。このような情報は、例えば、サーバ装置３０が備える計時部（図示せず）などによって計測される現在時刻に基づいて動画像の配信に際して生成される。
【０１２９】
動画像が配信されたときの天候に関する情報は、過去の動画像の配信が行われた日の天候、気温、及び、湿度の少なくとも１つ（図１０の例では、全て）を示す。このような情報は、動画像の配信に際しておける天候を、天候に関する情報を管理する他のサーバ装置に問い合わせることによって取得される。
【０１３０】
なお、図１０は、記憶部３３に蓄積されるデータの一例である。記憶部３３に蓄積されるデータには、例えば、過去の動画像の配信に際して得られた賞賛情報の延べ数（つまり、「いいね」の数）等が含まれてもよい。
【０１３１】
［制御パターンに関するデータの分析動作］
上記のような記憶部３３に蓄積された制御パターンに関するデータの分析動作について説明する。図１１は、制御パターンに関するデータの分析動作のフローチャートである。
【０１３２】
まず、サーバ装置３０の制御部３１は、記憶部３３に蓄積された制御パターンに関するデータを読み出す（Ｓ７１）。
【０１３３】
次に、制御部３１は、蓄積された制御パターンに関するデータを用いて因子分析を行い（Ｓ７２）、因子分析の結果を記憶部３３に記憶する（Ｓ７３）。なお、ステップＳ７２においては、因子分析以外の分析手法が用いられてもよい。
【０１３４】
［制御パターンの選択動作］
次に、このような分析の結果を用いた制御パターンの決定動作について説明する。図１２は、制御パターンの決定動作のフローチャートである。
【０１３５】
まず、サーバ通信部３２は、動画像の配信予定を第一情報端末４０から取得する（Ｓ８１）。動画像の配信予定には、第一ユーザＵ１のユーザＩＤ、第一ユーザＵ１が配信予定のパフォーマンスに関する情報、配信予定時期に関する情報が含まれる。
【０１３６】
次に、制御部３１は、動画像の配信予定を用いて制御パターンの決定に必要な情報を特定する（Ｓ８２）。制御部３１は、例えば、第一ユーザＵ１のユーザＩＤに基づいて第一ユーザＵ１の個人情報を特定し、配信予定時期に関する情報に基づいて動画像が配信されるときの天候を特定する。天候の特定は、例えば、天気予報情報を管理するサーバ装置に問い合わせを行うことによって実現される。
【０１３７】
次に、制御部３１は、記憶部３３に記憶された分析の結果に基づいて第一ユーザＵ１が配信予定のパフォーマンスに適した制御パターンを決定する（Ｓ８３）。制御部３１は、具体的には、ステップＳ８１において取得された動画像の配信予定、ステップＳ８２おいて特定された情報、及び、分析の結果を用いて、より多くの報酬額が見込まれる制御パターン（例えば、報酬額が所定の金額以上である制御パターン）を第一照明演出制御に使用される制御パターンとして決定する。
【０１３８】
なお、ステップＳ８３においては、第一ユーザＵ１のパフォーマンスに対する複数の第二ユーザの反応に関する情報が良くなることが見込まれる制御パターンが第一照明演出制御に使用される制御パターンとして決定されてもよい。また、ステップＳ８３においては、多くの賞賛情報が得られることが見込まれる制御パターンが第一照明演出制御に使用される制御パターンとして決定されてもよい。
【０１３９】
その後、動画像の配信が開始されると（Ｓ８４）、制御部３１は、ステップＳ８３で決定された制御パターンを用いて第一照明演出制御を行う（Ｓ８５）。
【０１４０】
なお、蓄積されたデータは新たに動画像が配信されるごとに更新され、制御部３１は、分析の結果に基づく機械学習によって制御パターンを決定してもよい。
【０１４１】
［効果等］
照明システム１００は、第一照明装置１０が設置される第一空間１０１に位置する第一ユーザＵ１を撮像対象とする動画像の配信中に、第一照明装置１０に第一照明演出制御を行わせる制御部３１と、動画像を視聴する複数の第二ユーザが第一ユーザＵ１に報酬を付与するための報酬情報を取得するサーバ通信部３２とを備える。サーバ通信部３２は、取得部の一例である。制御部３１は、過去の動画像の配信において使用された制御パターンと、過去の動画像の配信に関連する報酬情報によって特定される報酬額と、過去の動画像を配信した第一ユーザの個人情報、過去の動画像において行われたパフォーマンスに関する情報、過去の動画像を視聴した第二ユーザの反応に関する情報、動画像が配信された時期に関する情報、及び、動画像が配信されたときの天候に関する情報の少なくとも１つの情報と、の関連性の分析の結果に基づいて第一照明演出制御に使用される制御パターンを決定する。
【０１４２】
このような照明システム１００は、報酬情報によって定められる報酬額を指標として、演出効果の高い第一照明演出制御を行うことができる。
【０１４３】
また、例えば、制御部３１は、分析の結果に基づいて、多くの報酬額が見込まれる制御パターンを照明演出制御に使用される制御パターンとして決定する。
【０１４４】
このような照明システム１００は、多くの報酬額が見込める第一照明演出制御を行うことができる。
【０１４５】
また、例えば、上記分析においては、過去の動画像を配信した第一ユーザの個人情報が用いられ、当該第一ユーザの個人情報は、性別、及び、年齢の少なくとも一方を示す。
【０１４６】
このような照明システム１００は、制御パターンと、報酬額と、過去の動画像を配信した第一ユーザの個人情報との関連性の分析の結果に基づいて制御パターンを決定することができる。
【０１４７】
また、例えば、上記分析においては、パフォーマンスに関する情報が用いられる。パフォーマンスに関する情報は、パフォーマンスにおいて使用された楽曲の音律、楽曲の音階、楽曲の歌詞、及び、楽曲の速度の少なくとも１つを示す。
【０１４８】
このような照明システム１００は、制御パターンと、報酬額と、パフォーマンスに関する情報との関連性の分析の結果に基づいて制御パターンを決定することができる。
【０１４９】
また、例えば、上記分析においては、過去の動画像を視聴した第二ユーザの反応に関する情報が用いられ、当該第二ユーザの反応に関する情報は、声の大きさ、及び、音の大きさの少なくとも１つを示す。
【０１５０】
このような照明システム１００は、制御パターンと、報酬額と、過去の動画像を視聴した第二ユーザの反応に関する情報との関連性の分析の結果に基づいて制御パターンを決定することができる。
【０１５１】
また、例えば、上記分析においては、過去の動画像を視聴した複数の第二ユーザの反応に関する情報が用いられ、当該複数の第二ユーザの反応に関する情報は、声の大きさ、及び、音の大きさの少なくとも１つを示す。
【０１５２】
このような照明システム１００は、制御パターンと、報酬額と、過去の動画像を視聴した複数の第二ユーザの反応に関する情報との関連性の分析の結果に基づいて制御パターンを決定することができる。
【０１５３】
また、例えば、上記分析においては、時期に関する情報が用いられる。時期に関する情報は、過去の照明演出制御が行われた日時、及び、過去の照明演出制御が行われた曜日の少なくとも１つを示す。
【０１５４】
このような照明システム１００は、制御パターンと、報酬額と、時期に関する情報との関連性の分析の結果に基づいて制御パターンを決定することができる。
【０１５５】
また、例えば、上記分析においては、天候に関する情報が用いられる。天候に関する情報は、過去の照明演出制御が行われた日の天候、気温、及び、湿度の少なくとも１つを示す。
【０１５６】
このような照明システム１００は、制御パターンと、報酬額と、天候に関する情報との関連性の分析の結果に基づいて制御パターンを決定することができる。
【０１５７】
また、例えば、制御部３１は、上記分析の結果に基づく機械学習によって照明演出制御に使用される制御パターンを決定する。
【０１５８】
このような照明システム１００は、機械学習によって制御パターンを決定することができる。
【０１５９】
また、照明システム１００等のコンピュータによって実行される照明制御方法は、第一照明装置１０が設置される第一空間１０１に位置する第一ユーザＵ１を撮像対象とする動画像の配信中に、第一照明装置１０に第一照明演出制御を行わせる制御ステップと、動画像を視聴する複数の第二ユーザＵ２が第一ユーザＵ１に報酬を付与するための報酬情報を取得する取得ステップとを含む。制御ステップにおいては、過去の動画像の配信において使用された制御パターンと、過去の動画像の配信に関連する報酬情報によって特定される報酬額と、過去の動画像を配信した第一ユーザの個人情報、過去の動画像において行われたパフォーマンスに関する情報、過去の動画像を視聴した第二ユーザの反応に関する情報、過去の動画像が配信された時期に関する情報、及び、過去の動画像が配信されたときの天候に関する情報の少なくとも１つの情報と、の関連性の分析の結果に基づいて第一照明演出制御に使用される制御パターンを決定する。
【０１６０】
このような照明制御方法は、報酬情報によって定められる報酬額を指標として、演出効果の高い第一照明演出制御を行うことができる。
【０１６１】
（その他の実施の形態）
以上、実施の形態について説明したが、本発明は、上記実施の形態に限定されるものではない。
【０１６２】
例えば、上記実施の形態において、特定の処理部が実行する処理を別の処理部が実行してもよい。例えば、サーバ装置によって行われる情報処理の一部または全部は、情報端末または照明装置によって行われてもよい。
【０１６３】
また、上記実施の形態における装置間の通信方法については特に限定されるものではない。装置間では、無線通信が行われてもよいし、有線通信が行われてもよい。また、装置間では、無線通信及び有線通信が組み合わされてもよい。また、上記実施の形態において２つの装置が通信を行う場合、２つの装置間には図示されない中継装置が介在してもよい。
【０１６４】
また、上記実施の形態のシーケンス図またはフローチャート等で説明された処理の順序は、一例である。複数の処理の順序は変更されてもよいし、複数の処理は並行して実行されてもよい。
【０１６５】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１６６】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１６７】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１６８】
例えば、本発明は、サーバ装置等のコンピュータによって実行される照明制御方法として実現されてもよいし、このような照明制御方法をコンピュータに実行させるためのプログラムとして実現されてもよい。また、本発明は、上記実施の形態の照明システムにおいて動画像を視聴するために情報端末にインストールされるアプリケーションアプリケーションプログラムとして実現されてもよい。また、本発明は、このようなプログラムが記録されたコンピュータ読み取り可能な非一時的な記録媒体として実現されてもよい。
【０１６９】
また、上記実施の形態において、照明システムは、複数の装置によって実現されたが、単一の装置として実現されてもよい。照明システムが複数の装置によって実現される場合、照明システムが備える構成要素は、複数の装置にどのように振り分けられてもよい。
【０１７０】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【０１７１】
例えば、本発明は、照明装置以外の装置を制御対象に含む機器制御システムとして実現されてもよい。照明装置以外の装置は、例えば、スピーカなどによって実現される出音装置である。このような機器制御システムは、評価情報等に基づいて出音装置から出力される音声を制御することができる。
【符号の説明】
【０１７２】
１０、１０ａ  第一照明装置
３１  制御部
３２  サーバ通信部（取得部）
１００、１００ａ  照明システム
１０１  第一空間
【図１】
2020009589.tif 000003
【図２】
2020009589.tif 000004
【図３】
2020009589.tif 000005
【図４】
2020009589.tif 000006
【図５】
2020009589.tif 000007
【図６】
2020009589.tif 000008
【図７】
2020009589.tif 000009
【図８】
2020009589.tif 000010
【図９】
2020009589.tif 000011
【図１０】
2020009589.tif 000012
【図１１】
2020009589.tif 000013
【図１２】
2020009589.tif 000014